(57)【要約】    【課題】植物支持用網体等の被装着体をブロック塀等の装着対象部材に対して容易且つ確実に装着できるようにする。    【解決手段】植物支持用網体等の被装着体２をブロック塀等の装着対象部材１に取り付ける被装着体２の装着装置であって、装着対象部材１に対して互いに反対側から配置され且つ少なくとも一方に被装着体２が取り付けられる第１装着具５及び第２装着具６を備え、装着対象部材１の上側に配置され且つ両装着具５，６を装着対象部材１側に締め付ける締め付け部材８と、この締め付け部材８よりも上側に配置され且つ両装着具５，６を離間方向に突っ張る突っ張り部材９とを備える。【選択図】図１
2016047012.tif 000002
【特許請求の範囲】
【請求項１】
植物支持用網体等の被装着体をブロック塀等の装着対象部材に取り付ける被装着体の装着装置において、
前記装着対象部材に対して互いに反対側から配置され且つ少なくとも一方に前記被装着体が取り付けられる第１装着具及び第２装着具を備え、
前記装着対象部材の上側に配置され且つ前記両装着具を前記装着対象部材側に締め付ける締め付け部材と、該締め付け部材よりも上側に配置され且つ前記両装着具を離間方向に突っ張る突っ張り部材とを備えた
ことを特徴とする被装着体の装着装置。
【請求項２】
前記第１装着具、前記第２装着具は、前記装着対象部材上に配置され且つ中間部と両端部とが前記装着対象部材の両側に位置するように屈曲する弾性屈曲部材と、前記弾性屈曲部材の中間に設けられ且つ前記装着対象部材の一側面に当接する中間側当接部と、前記弾性屈曲部材の両端側に設けられ且つ前記装着対象部材の他側面に当接する端側当接部とを備えた
ことを特徴とする請求項１に記載の装着装置。
【請求項３】
前記第１装着具と前記第２装着具とを前記装着対象部材上に逆向きに配置し、
前記両装着具の前記弾性屈曲部材の下側に前記締め付け部材を配置し、
前記両装着具の前記弾性屈曲部材の上側に前記突っ張り部材を配置した
ことを特徴とする請求項２に記載の被装着体の装着装置。
【請求項４】
前記締め付け部材は長手方向の両端側に締め付け部を備え、
前記突っ張り部材は長手方向の両端側に突っ張り部を備えた
ことを特徴とする請求項１〜３の何れかに記載の被装着体の装着装置。
【請求項５】
前記被装着体は縦材と横材とが格子状に固着された植物支持用網体であり、
該植物支持用網体の下端に前記第１装着具を一体に備えた
ことを特徴とする請求項１〜４の何れかに記載の被装着体の装着装置。
【請求項６】
前記植物支持用網体は平面視波状又はジグザグ状に屈曲する上下方向に複数本の横材と、該各横材に屈曲方向に略等間隔を置いて固定された複数本の縦材とを備え、
前記第１装着具は下端側の前記横材により構成された前記弾性屈曲部材と、該弾性屈曲部材から下方に突出して前記縦材に一体に形成された当接部とを有する
ことを特徴とする請求項５に記載の被装着体の装着装置。
【発明の詳細な説明】
【技術分野】
【０００１】
本発明は、植物支持用網体等の被装着体をブロック塀等の装着対象部材に装着する際に使用する被装着体の装着装置に関するものである。
【背景技術】
【０００２】
ブロック塀の上側にその長手方向に沿って装着しておき、バラ等の長尺性鑑賞用植物、テッセン、ツタ等の蔓性観葉植物、その他の長尺性植物を絡ませて栽培する植物支持用網体がある（特許文献１）。
【０００３】
この植物支持用網体は、平面視波状に屈曲する上下方向に複数本の横材と、横材の長手方向に複数本の縦材とを格子状に連結して横長波状に構成し、その複数本の縦材の内、所定ピッチの中間の縦材の下方への突出量を短くし、両端を含む他の縦材には下方へと長く突出する当接部を設けている。
【０００４】
この植物支持用網体をブロック塀上に装着する際には、突出量の短い各縦材をブロック塀の上側に配置し、その両側の突出量の長い各縦材の下端側の当接部をブロック塀の反対側の両側面に弾性的に当接させる。そして、植物支持用網体自体が有する弾性力により、ブロック塀を厚さ方向の両側から挟み付けて、この植物支持用網体をブロック塀上に取り付ける。
【先行技術文献】
【特許文献】
【０００５】
【特許文献１】意匠登録第１４９６３６０号公報
【発明の概要】
【発明が解決しようとする課題】
【０００６】
この植物支持用網体は、それ自体が有する弾性力を利用してブロック塀を両側から挟み付けているため、その取り付けが容易である反面、植物が繁茂した状態で大きな風圧を受けた場合には、植物支持用網体がブロック塀から外れる等の惧れがある。
【０００７】
一方、植物支持用網体の弾性力を十分に大にすればブロック塀に対して確実に固定できるものの、その大きな弾性力に抗して取り付けなければならず、それ自体の弾性力を利用してブロック塀に取り付ける際の取り付け作業が困難になる問題がある。
【０００８】
本発明は、このような従来の問題点に鑑み、植物支持用網体等の被装着体をブロック塀等の装着対象部材に対して容易且つ確実に装着できる被装着体の装着装置を提供することを目的とする。
【課題を解決するための手段】
【０００９】
本発明は、植物支持用網体等の被装着体をブロック塀等の装着対象部材に取り付ける被装着体の装着装置において、前記装着対象部材に対して互いに反対側から配置され且つ少なくとも一方に前記被装着体が取り付けられる第１装着具及び第２装着具を備え、前記装着対象部材の上側に配置され且つ前記両装着具を前記装着対象部材側に締め付ける締め付け部材と、該締め付け部材よりも上側に配置され且つ前記両装着具を離間方向に突っ張る突っ張り部材とを備えたものである。
【００１０】
前記第１装着具、前記第２装着具は、前記装着対象部材上に配置され且つ中間部と両端部とが前記装着対象部材の両側に位置するように屈曲する弾性屈曲部材と、前記弾性屈曲部材の中間に設けられ且つ前記装着対象部材の一側面に当接する中間側当接部と、前記弾性屈曲部材の両端側に設けられ且つ前記装着対象部材の他側面に当接する端側当接部とを備えたものでもよい。
【００１１】
前記第１装着具と前記第２装着具とを前記装着対象部材上に逆向きに配置し、前記両装着具の前記弾性屈曲部材の下側に前記締め付け部材を配置し、前記両装着具の前記弾性屈曲部材の上側に前記突っ張り部材を配置したものでもよい。
【００１２】
前記締め付け部材は長手方向の両端側に締め付け部を備え、前記突っ張り部材は長手方向の両端側に突っ張り部を備えたものでもよい。
【００１３】
前記被装着体は縦材と横材とが格子状に固着された植物支持用網体であり、該植物支持用網体の下端に前記第１装着具を一体に備えたものでもよい。
【００１４】
前記植物支持用網体は平面視波状又はジグザグ状に屈曲する上下方向に複数本の横材と、該各横材に屈曲方向に略等間隔を置いて固定された複数本の縦材とを備え、前記第１装着具は下端側の前記横材により構成された前記弾性屈曲部材と、該弾性屈曲部材から下方に突出して前記縦材に一体に形成された当接部とを有するものでもよい。
【発明の効果】
【００１５】
本発明では、植物支持体等の被装着体をブロック塀等の装着対象部材に容易且つ確実に固定できる利点がある。
【図面の簡単な説明】
【００１６】
【図１】本発明の第１の実施形態を示す植物支持用網体の装着装置の斜視図である。
【図２】同要部の一部破断平面図である。
【図３】同要部の正面図である。
【図４】同要部の拡大平面図である。
【図５】同要部の拡大断面図である。
【図６】本発明の第２の実施形態を示す平面図である。
【図７】同要部の拡大断面図である。
【図８】本発明の第３の実施形態を示す平面図である。
【図９】本発明の第４の実施形態を示す平面図である。
【図１０】同要部の正面図である。
【図１１】同要部の斜視図である。
【図１２】同要部の拡大断面図である。
【図１３】本発明の第５の実施形態を示す概略平面図である。
【図１４】同要部の一部破断平面図である。
【図１５】同要部の拡大断面図である。
【図１６】本発明の第６の実施形態を示す一部破断平面図である。
【図１７】本発明の第７の実施例を示す平面図である。
【図１８】同要部の拡大断面図である。
【図１９】本発明の第８の実施例を示す斜視図である。
【図２０】同要部の平面図である。
【図２１】同要部の断面図である。
【図２２】本発明の第９の実施例を示す平面図である。
【図２３】同要部の拡大断面図である。
【図２４】同要部の斜視図である。
【図２５】本発明の第１０の実施例を示す要部の断面図である。
【図２６】本発明の第１１の実施例を示す要部の断面図である。
【発明を実施するための形態】
【００１７】
以下、本発明の各実施形態を図面に基づいて詳述する。
【００１８】
図１〜図５は敷地の内外を区画するブロック塀１上に、被装着体である植物支持用網体２を装着する場合の装着装置を例示する。植物支持用網体２は横長矩形状であって、図１〜図３に示すように、上下方向に略等間隔を置いて配置された平面視波状の複数本の横材３と、横材３の屈曲方向に略等間隔を置いて配置された複数本の縦材４とを溶接等で格子状に連結して構成されている。なお、植物支持用網体２は必要に応じてブロック塀１の長手方向に複数枚が連続状に配置されている。
【００１９】
各横材３は略１周期分の長さの平面視Ｓ字状に屈曲形成されており、この横材３に７本の縦材４が連結されている。７本の縦材４の内、その両端側の縦材４がブロック塀１の一側面（例えば内側）に、中間の２本の縦材４がブロック塀１の他側面（例えば外側）に夫々位置し、その他の２本の縦材４がブロック塀１の略中央に位置している。
【００２０】
横材３、縦材４はステンレス製、スチール製等の弾性線材が一般的であるが、その他の材料を使用してもよい。例えば、スチール製等の線材の外周に合成樹脂製の被覆層を設けたものでもよい。
【００２１】
この植物支持用網体２は、図１〜図５に示すように、下端側に一体に設けられた第１装着具５と、この第１装着具５の二つの締め付け部位７に対応してブロック塀１の内外反対側に配置された二組の第２装着具６と、各締め付け部位７で両装着具５，６間に配置された締め付け部材８及び突っ張り部材９とを介してブロック塀１の上側に着脱自在に装着されている。
【００２２】
第１装着具５は植物支持用網体２の下端側にその全長にわたって一体に設けられており、下端側の横材３により構成された弾性屈曲部材１０と、ブロック塀１の内外両側で弾性屈曲部材１０から下方に突出してブロック塀１の両側面に対して内外両側から弾性的に当接する当接部１１とを有し、その両端側の各当接部１１がブロック塀１の内側に当接し、中間の当接部１１がブロック塀１の内外両側に交互に当接することにより、ブロック塀１上に仮止め可能である。
【００２３】
この第１装着具５には、ブロック塀１の長手方向の二箇所に締め付け部位７があり、各当接部１１の内、その二箇所の締め付け部位７の２本一組が締め付け側当接部１２となっている。
【００２４】
第２装着具６は中間部と両端部がブロック塀１の両側に位置するように略台形形状に屈曲され且つブロック塀１上に配置された弾性屈曲部材１３と、この弾性屈曲部材１３の中間に植物支持用網体２の２本の縦材４に対応して上下方向に固定され且つブロック塀１の一側面に当接する締め付け側当接部（中間側当接部）１４と、弾性屈曲部材１３の両端で締め付け側当接部１４と略平行に固定され且つブロック塀１の他側面に当接する端側当接部１５とを備えている。第２装着具６の締め付け側当接部１４間の間隔は、第１装着具５の締め付け側当接部１２間の間隔と略同一である。
【００２５】
なお、二組の第２装着具６は、その２本の締め付け側当接部１４が植物支持用網体２の２本の締め付け側当接部１２とブロック塀１の内外両側で相対向するように、植物支持用網体２の屈曲形状に合わせて内外逆向きに配置されている。
【００２６】
締め付け部材８、突っ張り部材９は、ブロック塀１上で第１装着具５と第２装着具６との相対応する２本の締め付け側当接部１２，１４に跨がって設けられている。締め付け部材８は両装着具５，６の弾性屈曲部材１０，１３の下側でその両締め付け側当接部１２，１４をブロック塀１側へとＸ矢示方向に引き寄せて締め付けるためのものであって、図４、図５に示すように帯板材等により構成され、ブロック塀１から上側に突出する締め付け側当接部１２，１４の上側部１２ａ，１４ａをブロック塀１側に締め付ける締め付け部８ａが両端部に設けられている。締め付け部８ａは帯板材の通孔により形成され、締め付け側当接部１２，１４を挿通できるようになっている。
【００２７】
突っ張り部材９は両装着具５，６の弾性屈曲部材１０，１３の上側でその両締め付け側当接部１２，１４の上側部１２ａ，１４ａをブロック塀１と反対側に突っ張るためのものであって、図４、図５に示すように帯板材等により構成され、ブロック塀１から上側に突出する締め付け側当接部１２，１４の上側部１２ａ，１４ａをブロック塀１と反対側へとＹ矢示方向に突っ張る突っ張り部９ａが両端部に設けられている。突っ張り部９ａは帯板材の長手方向の外側に開放するＵ字状に切り欠き形成され、締め付け側当接部１２，１４の上側部１２ａ，１４ａに対してブロック塀１側から係脱できるようになっている。なお、第２装着具６の締め付け側当接部１４の上側部１４ａに対応する突っ張り部９ａは、上下に貫通する通孔により構成することも可能である。
【００２８】
植物支持用網体２をブロック塀１上に装着する際には、下端側の第１装着具５を介して植物支持用網体２をブロック塀１上に仮止めし、次の植物支持用網体２の二つの締め付け部位７に対応してブロック塀１に内外反対向きに第２装着具６を配置して仮止めする。また各装着具５，６の仮止めの前後の適時に、両装着具５，６間に締め付け部材８、突っ張り部材９を適宜介在する。その後、各締め付け部位７の各第２装着具６側をブロック塀１に沿って移動させると、締め付け部材８のＸ矢示方向の締め付け作用と、突っ張り部材９のＹ矢示方向の突っ張り作用とにより、各締め付け部位７毎に両装着具５，６の締め付け側当接部１２，１４をブロック塀１の両側面に強力に圧接させて、植物支持用網体２をブロック塀１上に容易且つ確実に装着することができる。
【００２９】
即ち、装着に際しては、先ず第１装着具５の二つの締め付け部位７の２本一組の締め付け側当接部１２を各締め付け部材８の一端側の締め付け部８ａに挿通し、その各締め付け部材８をブロック塀１の上面に載せて、第１装着具５の当接部１１，１２をブロック塀１の両側に当接させた後、植物支持用網体２の全体を下方に押え付けて、締め付け部材８がブロック塀１の上面に当接した状態で植物支持用網体２自体の弾性力により植物支持用網体２をブロック塀１上に仮止めする。
【００３０】
そして、図４に二点鎖線で示すように締め付け部材８をブロック塀１の長手方向に対して略直角にした状態において、その締め付け部材８の他端側の締め付け部８ａに第２装着具６の締め付け側当接部１４を挿入する。次いで第２装着具６の締め付け側当接部１４をブロック塀１の両側に当接させた後、第２装着具６を下方に押え付けて第２装着具６の弾性力により第２装着具６をブロック塀１上に仮止めする。
【００３１】
続いて図５に二点鎖線で示すように各締め付け部位７毎に各装着具５，６の締め付け側当接部１２，１４の上側部１２ａ，１４ａに突っ張り部材９の両端の突っ張り部９ａを係合させた後、突っ張り部材９を弾性屈曲部材１０，１３上まで押し下げて各装着具５，６の締め付け側当接部１２，１４の上側部１２ａ，１４ａを外側へとＹ矢示方向に突っ張る。最後に各締め付け部位７の第２装着具６に適宜部材を当てて金槌等で軽く叩きながら、第２装着具６をブロック塀１に沿って図４のＺ矢示方向に相対的に移動させる。
【００３２】
この第２装着具６の移動によって、各締め付け部位７毎に第１装着具５の２本の締め付け側当接部１２を基準に締め付け部材８及び突っ張り部材９がブロック塀１の長手方向に対して若干斜め方向に傾斜した状態となり、第１装着具５、第２装着具６、締め付け部材８及び突っ張り部材９が平行四辺形を構成する。
【００３３】
そのため第１装着具５と第２装着具６との間に介在された締め付け部材８が、両装着具５，６の相対応する締め付け側当接部１２，１４をブロック塀１側へとＸ矢示方向に強力に締め付けると共に、弾性屈曲部材１０を挟んでその上側で両装着具５，６の締め付け側当接部１２，１４の上側部１２ａ，１４ａ間に介在された突っ張り部材９が、両装着具５，６の締め付け側当接部１２，１４の上側にブロック塀１とは反対側へとＹ矢示方向に突っ張り、てこの原理により、締め付け部材８による締め付け側当接部１２，１４の締め付けを加勢する。
【００３４】
従って、両装着具５，６間に働く締め付け部材８によるＸ矢示方向への締め付け作用と、突っ張り部材９によるＹ矢示方向への突っ張り作用との協働により、両装着具５，６の締め付け側当接部１２，１４がブロック塀１に対して強力に圧接することとなり、植物支持用網体２を容易且つ確実に取り付けることができる。
【００３５】
また第１装着具５、第２装着具６は、弾性屈曲部材１０に締め付け側当接部１２，１４を含む各当接部１１、１２，１４，１５を設け、この当接部１１、１２，１４，１５をブロック塀１の両側に当接させる構成であり、ブロック塀１を当接部１１、１２，１４，１５で両側から挟んだ状態で仮止めできるので、作業中に装着具５，６が落下する等の惧れも少なく作業性が向上する利点がある。
【００３６】
なお、この実施形態では、植物支持用網体２の下端側にその略全長に第１装着具５を設けているが、部分的に区分して設けてもよい。また締め付け部位７は１箇所でもよい。
【００３７】
第２装着具６の当接部１４，１５が弾性屈曲部材１３に略直角であれば、図３に示すように弾性屈曲部材１３を締め付け部材８、第１装着具５の弾性屈曲部材１０に上側から当接させた場合に、その当接部１４，１５がブロック塀１の両側面と平行にならなくなる可能性がある。
【００３８】
しかし、その場合には、弾性屈曲部材１３が締め付け部材８の上側に当接しないように組み付けるか、又は両弾性屈曲部材１０，１３の交差部の近傍で締め付け部材８と弾性屈曲部材１０との寸法差分程度、弾性屈曲部材１３を山形状に屈曲させて、当接部１４，１５をブロック塀１の両側面に略平行に当接させればよい。これは、以下の各実施形態においても同様である。
【００３９】
図６及び図７は本発明の第２の実施形態を例示する。この実施形態では、ブロック塀１と第２装着具６との間にアングル材等の介在物１７が設けられている。この介在物１７は第２装着具６をブロック塀１に沿って移動させたときに、第２装着具６の締め付け側当接部１４の押圧により介在物１７に凹部１７ａができて締め付け側当接部１４が食い込むような材料、例えばアルミ材、硬質ゴム材等が使用されている。他の構成は第１の実施形態と同様である。
【００４０】
このようにブロック塀１と第２装着具６との間に介在物１７を設けることにより、第２装着具６を移動させる際のブロック塀１側の摺動痕等の損傷、更には植物支持用網体２の装着後の経年変化による締め付け部材８、突っ張り部材９の緩み等を防止することができる。
【００４１】
なお、介在物１７は締め付け側当接部１４毎に別々に設けてもよい。また介在物１７は第２装着具６の締め付け側当接部１４と係合させておき、第２装着具６をブロック塀１に沿って移動させるときに、第２装着具６と一体にブロック塀１に対して摺動するようにしてもよい。介在物１７は第１装着具５側又は各装着具５，６側に設けてもよい。
【００４２】
図８は本発明の第３の実施形態を例示する。この実施形態では、第２装着具６をブロック塀１に沿って移動させて締め付けた後、締め付け部材８、突っ張り部材９とは別の締め付け具１８を用いて更に締め付けるようにしたものである。なお、締め付け具１８はターンバックルであって、本体部１８ａと、この本体部１８ａに伸縮方向に螺合された連結軸１８ｂとを有し、本体部１８ａを正逆転することにより連結軸１８ｂが出退して伸縮するようになっている。
【００４３】
図８（ａ）では両装着具５，６、締め付け部材８及び突っ張り部材９により構成される平行四辺形の２本の対角線の内、その短い対角線方向に締め付け具１８が配置されている。
【００４４】
図８（ｂ）では二つの第２装着具６の上側部１４ａ間に締め付け具１８が配置されている。二つの第２装着具６の上側部１４ａ間にはブロック塀１の厚さ方向の略中央に位置する縦材４があり、この縦材４と各第２装着具６の突部との間に締め付け具１８が設けられている。従って、植物支持用網体２の縦材４を介して中継するため、二つの第２装着具６間を締め付け具１８で連結しているにも拘わらず、短い締め付け具１８を使用することができる。他の構成は各実施形態と同様である。
【００４５】
このように第１装着具５、第２装着具６、締め付け部材８及び突っ張り部材９の他に締め付け具１８を併用することにより、植物支持用網体２をより確実にブロック塀１に対して固定することが可能であり、植物支持用網体２に加わる風圧等の影響を防止することができる。
【００４６】
なお、締め付け具１８はターンバックルが適当であるが、巻き掛け式でもよい。ターンバックルの場合には、緩み止め用のロックナットがあればよい。
【００４７】
図９〜図１２は本発明の第４の実施形態を例示する。この実施形態では、植物支持用網体２の両端側の縦材４側を除く二つの締め付け部位７にＶ字型の第２装着具６が使用されており、隣接する植物支持用網体２の両端側の縦材４同士がＣ状の連結具２０により着脱自在に連結されている。
【００４８】
第２装着具６の弾性屈曲部材１３は長さ方向の略中央でＶ字状に屈曲しており、その中央側に締め付け側当接部１４が固定され、両端側に端側当接部１５が下向きに屈曲状に設けられている。なお、弾性屈曲部材１３は端側当接部１５がブロック塀１の側面にその略全長で当接し易くなるように、端側当接部１５寄りの位置に屈曲部１３ａが設けられている。
【００４９】
この第２装着具６は、各締め付け部位７において、その中央の締め付け側当接部１４がブロック塀１を挟んで相対応するように第１装着具５の締め付け側当接部１２と内外逆向きに配置されており、その両締め付け側当接部１２，１４間に締め付け部材８及び突っ張り部材９が設けられている。
【００５０】
連結具２０は適度な弾性を有する弾性材によりＣ字状に構成されており、２本の縦材４を抱き込む抱き込み部２０ａと、この抱き込み部２０ａの片側に形成された開放部２０ｂとを有し、その開放部２０ｂの少なくとも一方の開放端部２０ｃは、抱き込み部２０ａに抱き込まれた１本の縦材４との間で他の縦材４が通過できるように外側に弾性変形可能になっている。なお、連結具２０は各横材３の上側又は上下両端の横材３の上側等で縦材４に装着されている。他の構成は第１の実施形態と同様である。
【００５１】
このような第２装着具６を採用した場合にも、第１の実施形態と同様に第２装着具６側をブロック塀１に沿って移動させることにより、締め付け部材８、突っ張り部材９を介して第１装着具５、第２装着具６をブロック塀１側に締め付けて固定することができる。
【００５２】
また第２装着具６は第１装着具５に対して一組の締め付け部材８、突っ張り部材９を介して連結されているので、第２装着具６をブロック塀１に沿って移動させるに当たって、ブロック塀１の厚さに部分的なバラツキ等があっても、第２装着具６が対応する位置のブロック塀１側の状況に応じて植物支持用網体２を確実に装着することができる。
【００５３】
しかも、第２装着具６は弾性屈曲部材１３の両端側に端側当接部１５を下向きに屈曲状に設けているので、それ自体の見栄えが非常に良好である。また弾性屈曲部材１３の適当部位にブロック塀１から浮き上がる屈曲部１３ａを設けているため、弾性屈曲部材１３の両端部が弾性屈曲部材１０の上側を通るにも拘わらず、その両端の各端側当接部１５をブロック塀１の側面に沿って容易に当接させることができる。
【００５４】
更に隣接する植物支持用網体２の端部側の縦材４同士を連結具２０で着脱自在に連結することにより、隣接する植物支持用網体２の途切れがなく美観が向上するだけでなく、ブロック塀１上の各植物支持用網体２の安定性を更に向上させることができる。
【００５５】
なお、突っ張り部材９は図１１に示すように弾性材により構成して、下側に若干湾曲した状態で締め付け側当接部１２，１４間に介在してもよい。連結具２０はＣ字状の他、線材を２本の縦材４に巻き付けるようにしてもよい。
【００５６】
図１３〜図１５は本発明の第５の実施形態を例示する。この実施形態では、ブロック塀１上に装着ユニット２６を介して装着物である笠木２１が装着されている。笠木２１はアルミ系の型材等により構成されており、山形状の笠部２２と、この笠部２２の下端からブロック塀１の両側に突出する垂下部２３と、各垂下部２３の内側に長手方向に形成された係合溝２４とを有する。
【００５７】
装着ユニット２６はブロック塀１上に一対のアングル材等の取り付け板２６を固定するためのもので、第１装着具５、第２装着具６、締め付け部材８、突っ張り部材９を備え、ブロック塀１上に長手方向に所定間隔を置いて複数箇所に配置されている。なお、取り付け板２５はブロック塀１上に一対設けてもよいし、両者を一体に設けてもよい。また取り付け板２５は各装着ユニット２６毎に分割してもよい。
【００５８】
両装着具５，６は長手方向の両側が拡開状に屈曲する平面視台形状の弾性屈曲部材１０，１３と、この弾性屈曲部材１０，１３の中間の屈曲箇所に設けられた締め付け側当接部１２，１４と、弾性屈曲部材１０，１３の両端部に固定された当接部１１，１５とを有し、ブロック塀１に対して内外逆向きに配置されている。
【００５９】
各装着具５，６には、締め付け側当接部１２，１４の上端部にネジ等の取り付け部１２ｂ，１４ｂが設けられており、この取り付け部１２ｂ，１４ｂに螺合するナット１２ｃ，１４ｃによりアングル材等の取り付け板２５が固定されている。
【００６０】
取り付け板２５には取り付け部１２ｂ，１４ｂに対応してブロック塀１の長手方向に長い長孔状の取り付け孔２５ａが形成され、その取り付け孔２５ａに各取り付け部１２ｂ，１４ｂが挿通されている。なお、取り付け部１２ｂ，１４ｂは各装着具５，６の２個の締め付け側当接部１２，１４の内、その一方のみに設けてもよい。
【００６１】
両装着具５，６の締め付け側当接部１２，１４間には、各実施形態と同様に締め付け部材８、突っ張り部材９が設けられている。突っ張り部材９と取り付け板２５との間には、上側部１２ａ，１４ａに套嵌されたスリーブ等の間隔保持材２７が介在されている。弾性屈曲部材１０，１３の両端の当接部１１，１５は、取り付け板２５と干渉しないように下向きに屈曲して設けられている。その他の構成は各実施形態と同様である。
【００６２】
この場合には、ブロック塀１の長手方向の所要箇所に第１装着具５と第２装着具６とを逆向きに装着した後、第１の実施形態と同様に、第２装着具６をブロック塀１に沿って若干移動させて、両装着具５，６間に配置された締め付け部材８、突っ張り部材９により、両装着具５，６の締め付け側当接部１２，１４をブロック塀１側に締め付ける。
【００６３】
次に両装着具５，６の締め付け側当接部１２，１４の上端側の取り付け部１２ｂ，１４ｂが取り付け孔２５ａに挿通するように各取り付け板２５を配置して、その取り付け部１２ｂ，１４ｂに螺合するナット１２ｃ，１４ｃにより各取り付け板２５を突っ張り部材９上に締め付けて固定する。
【００６４】
これによってブロック塀１上に各取り付け板２５を固定できるので、次に上側から笠木２１を被せてその係合溝２４に取り付け板２５を係合させることにより、ブロック塀１に笠木２１を容易に装着することができる。また締め付け側当接部１２，１４の上端にネジ構造の取り付け部１２ｂ，１４ｂを設け、これに螺合するナット１２ｃ，１４ｃにより突っ張り部材９及び取り付け板２５を締結しているため、両装着具５，６の緩み等を少なくできる。
【００６５】
図１６は本発明の第６の実施形態を例示する。笠木２１等の被装着体をブロック塀１に装着する際の装着ユニット２６は、図１６（ａ）〜（ｃ）に示すように構成してもよい。図１６（ａ）では、台形状の第１装着具５と第２装着具６とがブロック塀１に対して逆向きに配置され、その各装着具５，６の締め付け側当接部１２，１４の一方側に締め付け部材８及び突っ張り部材９が設けられている。このように台形状の第１装着具５と第２装着具６とを組み合わせる場合にも、締め付け部材８及び突っ張り部材９は一組にすることも可能である。
【００６６】
図１６（ｂ）では、Ｖ字状の第１装着具５と第２装着具６とがブロック塀１に対して逆向きに配置され、その各装着具５，６の中央側の締め付け側当接部１２，１４に締め付け部材８及び突っ張り部材９が設けられている。このようにＶ字状の第１装着具５と第２装着具６とを組み合わせることも可能である。
【００６７】
図１６（ｃ）では、台形状の第１装着具５とＶ字状の第２装着具６とがブロック塀１に対して逆向きに配置され、その第１装着具５の１個の締め付け側当接部１２と第２装着具６の締め付け側当接部１４との間に一組の締め付け部材８及び突っ張り部材９が設けられている。このように形状の異なる第１装着具５と第２装着具６とを組み合わせることも可能である。
【００６８】
なお、第１装着具５、第２装着具６の構造、組み合わせはこれらに限定されるものではなく、被装着体の大きさ、構造、形状等に応じて任意に変更することが可能である。また各装着具５，６には上下方向に配置された締め付け側当接部１２，１４の上端側に取り付け部１２ｂ，１４ｂａを設けてもよいし、図１６（ａ）〜（ｃ）に二点鎖線で示すように各装着具５，６の弾性屈曲部材１０，１３の一端側又は両端側に取り付け部１０ａ，１３ａを設けてもよいし、両方に設けてもよい。
【００６９】
図１７、図１８は本発明の第７の実施形態を例示する。この実施形態では、被装着体である鉢載せ台２９がその下端の受け板３０を介してブロック塀１上に装着されている。鉢載せ台２９は植木鉢３２を載せるためのもので、受け板３０と、この受け板３０上に固定され且つ植木鉢３２を着脱自在に支持する支持枠３１とを備え、その受け板３０に長孔状の取り付け孔３０ａが設けられている。なお、鉢載せ台２９は受け板３０上に載置するようにしてもよい。
【００７０】
ブロック塀１上には台形状の第１装着具５と第２装着具６とが逆向きに相対向して配置され、その中央側の対応する締め付け側当接部１２，１４間に締め付け部材８、突っ張り部材９が設けられている。各装着具５，６の締め付け側当接部１２，１４の上端にナット１２ｃ，１４ｃを介して固定されている。台形状の各装着具５，６の構造、その他は、各実施形態の場合と同様である。
【００７１】
このように締め付け部材８及び突っ張り部材９とを組み合わせながら、第１装着具５と第２装着具６とをブロック塀１上に固定しておき、その上側に鉢載せ台２９の受け板３０を第１装着具５と第２装着具６とに跨がって取り付けるようにしてもよい。この場合には、第１装着具５と第２装着具６とをブロック塀１に沿って相対的に移動させた後に、その各装着具５，６に跨がって受け板３０を固定するので、第１装着具５と第２装着具６との相対位置を確実に固定できる利点があり、装着後の緩み等の問題を解消できる。
【００７２】
なお、第１装着具５と第２装着具６とを受け板３０を介して連結すればよいので、受け板３０に対する各装着具５，６の取り付けは、締め付け側当接部１２，１４の上端側でもよいし、各弾性屈曲部材１０，１３の両端側でもよい。第１装着具５、第２装着具６はＶ字状のものでもよいし、台形状のものとＶ字状のものとを組み合わせてもよい。鉢載せ台２９は複数個の植木鉢３２を載置可能にしてもよい。
【００７３】
図１９〜図２１は本発明の第８の実施形態を例示する。この実施形態では、被装着体である看板３４が前後の取り付け板３５を介してブロック塀１上に装着されている。ブロック塀１上には一組の台形状の第１装着具５と二組のＶ字状の第２装着具６とが逆向きに相対向して配置され、その第１装着具５の中央側の２本の締め付け側当接部１２と、各第２装着具６の中央側の締め付け側当接部１４との間に締め付け部材８、突っ張り部材９が設けられている。
【００７４】
看板３４は偏平な箱状等の本体部３４ａと、その内部に組み込まれた照明灯等の内部機構３４ｂとを備え、各装着具５，６等を覆うようにブロック塀１上に配置されている。この看板３４は下端から下方に突出する取り付け板３５をブロック塀１の両側に備え、その取り付け板３５にブロック塀１の両側で各弾性屈曲部材１０，１３の両端側にナット等を介して固定されている。
【００７５】
各第２装着具６は締め付け時にはブロック塀１に沿って接近する方向に移動させており、従って、第１装着具５の中央側の締め付け側当接部１２と、各第２装着具６の中央側の締め付け側当接部１４との間に配置された二組の締め付け部材８、突っ張り部材９はハの字状になっている。
【００７６】
このように看板３４等の被装着体をブロック塀１上に装着するに当たって、一組の台形状の第１装着具５と二組のＶ字状の第２装着具６とを組み合わせて使用することも可能である。また看板３４等の被装着体を一組の第１装着具５と二組の第２装着具６との三者に跨がって固定しているため、三者の相対位置を固定することができる。
【００７７】
図２２〜図２４は本発明の第９の実施形態を例示する。この実施形態では、被装着体である遮蔽パネル３６がブロック塀１上に長手方向に沿って装着されている。遮蔽パネル３６は防音、遮音その他の目的に従った機能を有し、横長矩形状に構成されている。この遮蔽パネル３６の下側には長手方向に複数個の取り付け板３７が設けられている。
【００７８】
一方、ブロック塀１上には、各取り付け板３７に対応する位置に第１装着具５、第２装着具６、締め付け部材８、突っ張り部材９が組み付けられている。各装着具５，６は、ブロック塀１の側面と上面とに当接するアングル材等により構成された当接部材３８と、この当接部材３８の外側面に固定され且つ上側に突出する突起部３９とを有し、その突起部３９の上端側にナット４０を介して取り付け板３７が着脱自在に固定されている。
【００７９】
両装着具５，６の突起部３９間には締め付け部材８が下側となり、その上側に突っ張り部材９が重なるように設けられており、その突っ張り部材９の上側に取り付け板３７が重ねられている。締め付け部材８、突っ張り部材９の構造等は、各実施形態と同様である。なお、突起部３９は取り付け板３７の長孔に挿通されている。
【００８０】
この場合には、ブロック塀１の上両側部に第１装着具５と第２装着具６とを当てた後、その突起部３９間に締め付け部材８と突っ張り部材９とを重ねて組み付ける。すると締め付け部材８の締め付け作用、突っ張り部材９の突っ張り作用によって両装着具５，６の締め付け側当接部１２，１４をブロック塀１に両側から圧接させることができる。次に第１装着具５と第２装着具６とをブロック塀１に沿って相対的に移動させると、両装着具５，６をブロック塀１側に締め付けて固定することができる。
【００８１】
第１装着具５と第２装着具６とをブロック塀１に沿って相対移動させた後、その突起部３９の上端側ににナット４０により遮蔽パネル３６の取り付け板３７を固定すれば、ブロック塀１上への遮蔽パネル３６の設置が完了する。
【００８２】
従って、このような弾性機能のない第１装着具５、第２装着具６を使用することも可能であり、その両装着具５，６の突起部３９間に締め付け部材８と突っ張り部材９とを組み込むことにより、装着具５，６等を介してブロック塀１上に遮蔽パネル３６等の被装着体を容易且つ確実に固定することができる。
【００８３】
図２５は本発明の第１０の実施形態を例示する。図２２に示すように、突っ張り部材９に帯板材を使用した場合には、締め付け部材８による締め付け位置と突っ張り部材９により突っ張り位置とが接近するため、突っ張り部材９による突っ張り作用が低下する。従って、図２４に示すように、締め付け部材８による締め付け位置と突っ張り部材９により突っ張り位置とを突起部３９の軸心方向に離間させることが望ましい。
【００８４】
図２５（ａ）では締め付け部材８と突っ張り部材９との間で突起部３９の外周にスペーサリング４１が套嵌され、図２５（ｂ）では締め付け部材８と突っ張り部材９との間で突起部３９の外周に皿バネ４２が套嵌されている。このように締め付け部材８と突っ張り部材９との間にスペーサリング４１、皿バネ４２等の介在物４３を設けることにより、締め付け部材８と突っ張り部材９との間隔が広がり、突っ張り部材９により突っ張り効果が向上する利点がある。
【００８５】
図２５（ｃ）の突っ張り部材９は断面逆Ｕ字状であって、その開放端９ｂ側が締め付け部材８に当接し、締め付け部材８から離れた連結部９ｃ側に突っ張り部９ａが形成されている。このように断面逆Ｕ字状の突っ張り部材９を使用する場合にも、締め付け部材８から離れた位置に突っ張り部９ａを形成することにより、突っ張り部材９により突っ張り効果が向上する利点がある。また突っ張り部材９が断面逆Ｕ字状であるため、それ自体の剛性も大になり、突っ張り効果を更に向上させることが可能である。
【００８６】
図２６は本発明の第１１の実施形態を例示する。この実施形態では、締め付け部材８、突っ張り部材９は円弧状に湾曲し又は湾曲可能な弾性帯板材により構成されている。例えば、締め付け部材８、突っ張り部材９は、予め円弧状に成形された板バネ材等の弾性材により構成されている。そして、締め付け部材８及び突っ張り部材９は、実線で示すようにその弾性に抗しながら長手方向に伸縮して、締め付け部材８の締め付け作用、突っ張り部材９の突っ張り作用により、両装着具５，６をブロック塀１に固定するようになっている。
【００８７】
このようにすれば、締め付け部材８、突っ張り部材９が湾曲量の変化により長手方向に伸縮するため、例えば台形状の第１装着具５及び第２装着具６を使用する場合に、その各装着具５，６の締め付け側当接部１２，１４間の間隔に若干のバラツキがあっても、そのバラツキを吸収して両装着具５，６を確実にブロック塀１に固定することができる。
【００８８】
特に両装着具５，６の締め付け側当接部１２，１４間に締め付け部材８、突っ張り部材９を介在した後、両装着具５，６をブロック塀１に沿って相対的に移動させた場合にも、突っ張り部材９側の緩み等を防止することが可能である。
【００８９】
以上、本発明の各実施形態について詳述したが、本願発明は各実施形態に限定されるものではなく、趣旨を逸脱しない範囲内で種々の変更が可能である。例えば、被装着体として、植物支持用網体２、看板３４、鉢載せ台２９、遮蔽パネル３６等を例示しているが、これら以外のものでもよい。また装着対象部材にはブロック塀１を例示しているが、ブロック塀１以外の各種の塀類でもよいし、塀以外の部材でもよい。例えば、複数部材を略平行に配置して装着対象部材を構成し、その装着対象部材に被装着体を装着する場合にも応用可能である。その場合、複数部材は間隔を置いて配置してもよい。
【００９０】
装着対象部材に被装着体を装着するに当たっては、装着対象部材に対して一組の第１装着具５と第２装着具６とを配置するのが一般的であるが、第１の実施形態のように第１装着具５と第２装着具６との長さに大小関係がある場合、例えば長い第１装着具５に対して短い第２装着具６を複数配置することも可能である。その場合、各装着具５，６の形状、構造は組み合わせの利便性を考慮して適宜決定すればよく、各実施形態に例示する以外の形状、構造でもよい。
【００９１】
締め付け部材８、突っ張り部材９は帯板状のものを例示しているが、他の形状、構造のものでもよい。例えば、締め付け部８ａは丸棒材を用い、その丸棒材の両端を内側へと屈曲させて締め付け部８ａを設けたものでもよい。また突っ張り部材９にも丸棒材を用い、その丸棒材の両端部に、外側に開放する突っ張り部９ａを設けたものでもよい。
【００９２】
第１装着具５、第２装着具６は、弾性屈曲部材１０，１３の長さを比較的短く保ちながら、その当接部で装着対象部材を両側から弾性的に挟んで仮止め可能にする上では、弾性屈曲部材１０，１３の中間部と両端部とが装着対象部材の両側に位置するように屈曲し、その弾性屈曲部材１０の中間に中間側当接部が、両端側に端側当接部を夫々固定したものであることが望ましいが、これ以外の構造でもよい。
【００９３】
第１装着具５、第２装着具６は、締め付け側当接部１２，１４の上側に突っ張り部材９用の上側部１２ａ，１４ａが必要であるが、その締め付け側当接部１２，１４と上側部１２ａ，１４ａは上下方向に一直線状に設ける他、変位又は変形状に設けてもよい。例えば、図２５に第２装着具６について二点鎖線で示すように、締め付け側当接部１４の上側部１４ａは、ブロック塀１の幅方向の内向きに屈曲状に設けることも可能である。
【００９４】
第１装着具５、第２装着具６が植物支持用網体２の被装着体と別構造の場合には、その締め付け側当接部１２，１４以外の当接部は、弾性屈曲部材１０の端部側に屈曲状に設けてもよい。また締め付け側当接部１２，１４を含む各当接部は、ブロック塀１の側面上端側から下方へとその上下方向の略全長がブロック塀１に当接するようにしているが、ブロック塀１の側面上端側から下方に離れた位置でブロック塀１に対して当接するようにしてもよい。また締め付け側当接部１２，１４を含む各当接部には、その下端側からブロック塀１側に屈曲してブロック塀１に係合する係合部を設けてもよい。
【００９５】
平面視Ｓ字状の植物支持用網体２は平面視波状の範疇に入るが、植物支持用網体２は単位長さ内に３個以上の波状部ができるようにしてもよいし、波状以外のジグザグ状に形成してもよい。また植物支持用網体２には、その下端側に第１装着具５を一体に備えたものを例示しているが、植物支持用網体２とそれを支持する第１装着具５とを別々に設けてもよい。
【００９６】
被装着体を装着具５，６に取り付けるに当たっては、第１装着具５と第２装着具６等、使用する装着対象部材側に設けられる装着具５，６の全て又は複数に跨がって被装着体を取り付けることが望ましいが、装着対象部材に対して被装着体を安定的に装着できる構造であれば、その一の装着具５，６に対して被装着体を取り付け得るようになっておればよい。
【００９７】
弾性屈曲部材１０，１３を有する装着具５，６の場合、それらに設けられる当接部１１，１２，１４，１５は、少なくともブロック塀１等の装着対象部材の一側面に当接する二つの当接部１１，１５間に、装着対象部材の他側面に当接する当接部１２，１４があればよい。またその場合、第１装着具５の当接部１１，１２、第２装着具６の当接部１３，１４の内、その何れを締め付け側当接部として選択してもよ。
【符号の説明】
【００９８】
１  ブロック塀（装着対象部材）
２  植物支持用網体（被装着体）
３  横材
４  縦材
５  第１装着具
６  第２装着具
８  締め付け部材
８ａ  締め付け部
９  突っ張り部材
９ａ  突っ張り部
１０，１３  弾性屈曲部材
１２，１４  締め付け側当接部
１５  端側当接部
２１  笠木（被装着体）
２９  鉢載せ台（被装着体）
３４  看板（被装着体）
３６  遮蔽パネル（被装着体）
【図１】
2016047012.tif 000003
【図２】
2016047012.tif 000004
【図３】
2016047012.tif 000005
【図４】
2016047012.tif 000006
【図５】
2016047012.tif 000007
【図６】
2016047012.tif 000008
【図７】
2016047012.tif 000009
【図８】
2016047012.tif 000010
【図９】
2016047012.tif 000011
【図１０】
2016047012.tif 000012
【図１１】
2016047012.tif 000013
【図１２】
2016047012.tif 000014
【図１３】
2016047012.tif 000015
【図１４】
2016047012.tif 000016
【図１５】
2016047012.tif 000017
【図１６】
2016047012.tif 000018
【図１７】
2016047012.tif 000019
【図１８】
2016047012.tif 000020
【図１９】
2016047012.tif 000021
【図２０】
2016047012.tif 000022
【図２１】
2016047012.tif 000023
【図２２】
2016047012.tif 000024
【図２３】
2016047012.tif 000025
【図２４】
2016047012.tif 000026
【図２５】
2016047012.tif 000027
【図２６】
2016047012.tif 000028